(57)【特許請求の範囲】
【請求項１】
第一の筒体の後端部と第二の筒体の前端部とを連結してなる筒状の筆記具用部材であって、前記第一の筒体の後端開口部の内面に複数の係合凹部を周方向に分散状に設け、前記第二の筒体の前端部に軸方向に延び且つ径方向の可撓性を備えた複数本の脚片を設け、前記脚片の径方向外面に係合凸部を設け、前記脚片の複数の係合凸部と、前記第一の筒体の後端開口部内面に設けた複数の係合凹部とを係合固定させ、前記各々の脚片の軸心側に、軸心方向に突出し且つ軸方向に延びるリブを一体に形成し、前記各々のリブの後端を第二の筒体の軸心部の内壁で連結してなることを特徴とする筆記具用部材。
【請求項２】
前記第一の筒体の後端開口部内面に、係合凹部を、周方向に分散状に複数設けるとともに前後に複数設け、前記脚片の径方向外面に前後に複数の係合凸部を設け、前記脚片の前後に設けた複数の係合凸部と、前記第一の筒体の後端開口部内面に前後に設けた複数の係合凹部とを係合固定させた請求項１記載の筆記具用部材。
【発明の詳細な説明】
【技術分野】
【０００１】
本発明は、筆記具用部材に関する。詳細には、第一の筒体の後端部と第二の筒体の前端部とを連結してなる筒状の筆記具用部材に関する。
【背景技術】
【０００２】
従来、この種の筆記具用部材において、特許文献１には、軸本体を前軸と後軸とにより構成し、互いを係合固定し、前軸には、係合孔が形成され、後軸には、前方に複数の脚部が形成され、前記脚部に係合突起が形成され、前記係合孔に前記係合突起が係合する構造が開示されている。
【先行技術文献】
【特許文献】
【０００３】
【特許文献１】特許第３３８４１８７号公報
【発明の概要】
【発明が解決しようとする課題】
【０００４】
前記従来の筆記具用部材は、落下衝撃や折り曲げ等で、係合突起と係合孔との係合が解除され、前軸と後軸が分離するおそれがある。
【０００５】
本発明は、前記従来の問題点を解決するものであって、第一の筒体と第二の筒体とが強固に連結でき、落下衝撃や折り曲げ等でも第一の筒体と第二の筒体とが分離するおそれがない筆記具用部材を提供しようとするものである。
【課題を解決するための手段】
【０００６】
＜１＞本願の第１の発明は、第一の筒体３の後端部と第二の筒体４の前端部とを連結してなる筒状の筆記具用部材であって、前記第一の筒体３の後端開口部の内面に複数の係合凹部３２を周方向に分散状に設け、前記第二の筒体４の前端部に軸方向に延び且つ径方向の可撓性を備えた複数本の脚片４２を設け、前記脚片４２の径方向外面に係合凸部４２ａを設け、前記脚片４２の複数の係合凸部４２ａと、前記第一の筒体３の後端開口部内面に設けた複数の係合凹部３２とを係合固定させ、前記各々の脚片４２の軸心側に、軸心方向に突出し且つ軸方向に延びるリブ４２ｂを一体に形成し、前記各々のリブ４２ｂの後端を第二の筒体４の軸心部の内壁で連結してなることを要件とする。
【０００７】
前記第１の発明の筆記具用部材２は、脚片４２が径方向に容易に撓むことを抑止し、第一の筒体３と第二の筒体４とが強固に連結でき、落下衝撃や折り曲げ等でも第一の筒体３と第二の筒体４とが分離するおそれがない。
【０００８】
【０００９】
前記第１の発明の筆記具用部材２は、前記各々のリブ４２ｂの後端を第二の筒体４の軸心部の内壁で連結してなることにより、より一層、第一の筒体３と第二の筒体４４とが強固に連結できる。
【００１０】
＜２＞本願の第２の発明は、前記第１の発明の筆記具用部材２において、前記第一の筒体３の後端開口部内面に、係合凹部３２を、周方向に分散状に複数設けるとともに前後に複数設け、前記脚片４２の径方向外面に前後に複数の係合凸部４２ａを設け、前記脚片４２の前後に設けた複数の係合凸部４２ａと、前記第一の筒体３の後端開口部内面に前後に設けた複数の係合凹部３２とを係合固定させたことを要件とする。
【００１１】
前記第２の発明の筆記具用部材２は、より一層、第一の筒体３と第二の筒体４とが強固に連結でき、落下衝撃や折り曲げ等でも分離するおそれがない。
【００１２】
尚、本発明で、筒状の筆記具用部材２とは、軸筒、キャップ、インキ収容筒、尾栓、頭冠、グリップ等の筆記具に用いられる各種部材が挙げられる。
【発明の効果】
【００１３】
本発明の筆記具用部材は、第一の筒体と第二の筒体とが強固に連結でき、落下衝撃や折り曲げ等でも第一の筒体と第二の筒体とが分離するおそれがない。
【図面の簡単な説明】
【００１４】
【図１】本発明の筆記具用部材を用いた多芯筆記具の実施の形態の縦断面図である。
【図２】図１のＡ−Ａ線断面図である。
【図３】図１の要部拡大縦断面図である。
【図４】図１の第一の筒体の斜視図である。
【図５】図１の第一の筒体の正面図である。
【図６】図５のＢ−Ｂ線断面図である。
【図７】図１の第二の筒体の要部斜視図である。
【図８】図１の第二の筒体の要部斜視図である。
【図９】図１の第二の筒体の要部正面図である。
【図１０】図９のＣ−Ｃ線断面図である。
【図１１】図１の第二の筒体の要部縦断面斜視図である。
【図１２】図１の筆記体の交換時を示す縦断面図である。
【発明を実施するための形態】
【００１５】
図１乃至図１２に本発明の実施の形態の筆記具用部材２を用いた多芯筆記具を示す。
本実施の形態の筆記具用部材は、軸筒２であり、該軸筒が、前軸３（第一の筒体）と後軸４（第二の筒体）とからなる。
【００１６】
前記多芯筆記具１は、軸筒２内に複数本（具体的には５本）の筆記体６が前後方向に移動可能に収容されている。前記各々の筆記体６は、各々の弾発体（具体的には圧縮コイルスプリング）により、後方に付勢されている。本実施の形態では、軸筒２内に収容する筆記体６の本数は、５本であるが、これ以外にも、例えば、２本、３本、４本、６本であってもよい。
【００１７】
（軸筒）
前記軸筒２は、先細円筒状の前軸３と、該前軸３の後端に連結される円筒状の後軸４とからなる。
【００１８】
（前軸）
前記前軸３は合成樹脂成形体または金属加工体により得られる。前記前軸３の前端には、前端孔３１が前後方向に貫設される。前記前軸３の外面は、弾性材料からなる把持部が設けられる。前記前軸３の後端開口部内面には、複数の係合凹部３２が周方向に分散状に設けられる。前記係合凹部３２は、本実施の形態では、径方向に貫通される孔（即ち径方向外方に開口する孔）が採用されているが、これ以外に、貫通されていない窪みであってもよい。前記係合凹部３２が径方向に貫通される孔の場合、金型による樹脂成形や孔加工により容易に係合凹部３２が得られる。
【００１９】
前記係合凹部３２は周方向に複数個所（例えば３箇所）に分散状に設けられ、さらに、前記係合凹部３２は、前後に複数個所に設けられる。即ち、前記前軸３内面の各々の係合凹部３２の前方または後方に、少なくとももう一つの係合凹部３２（例えば径方向に貫通される孔）が形成される。本実施の形態では、周方向に３箇所、且つ、前後に２箇所の、計６箇所に係合凹部３２が設けられる。
【００２０】
前記前軸３の後端開口部内面には、前後方向に延びる複数本の溝３３が、周方向に等間隔に形成される。前記各々の溝３３に、前記係合凹部３２が形成される。即ち、前記各々の溝３３に、複数（例えば２個）の係合凹部３２が前後に配設される。
【００２１】
（後軸）
前記後軸４は、円筒状の前部材４ａと、該前部材４ａの後端部に連結される後部材４ｂとからなる。前記後軸４（即ち前部材４ａ及び後部材４ｂ）は、合成樹脂成形体または金属加工体により得られる。前記後軸４（即ち後部材４ｂ）の側壁には、前後方向に延びる複数（例えば５本）の窓孔４１が径方向に貫設される。前記後軸４（即ち前部材４ａ）の内壁には、スプリング８の前端を支持するスプリング支持部９が一体に形成される。前記スプリング支持部９は、各々の筆記体６が摺動する複数の内孔９１を有する。前記スプリング支持部９において、スプリング８の前端が直接的または別部材を介して間接的に支持される。
【００２２】
前記後軸４の前端部（即ち前部材４ａの前端部）には、軸方向に延び且つ径方向の可撓性を備えた複数本（例えば５本）の脚片４２が一体に形成される。前記脚片４２の径方向外面には、係合凸部４２ａが一体に形成される。前記脚片４２の径方向外面には、前記係合凸部４２ａが、前後に複数個所（例えば前後に２箇所）に配設される。本実施の形態では、５本の脚片４２のうち、３本の脚片４２の径方向外面の係合凸部４２ａが設けられる。
【００２３】
前記係合凸部４２ａは、前面に傾斜面を備え、後面が軸線に対して垂直面となっている。それにより、前記係合凸部４２ａと前記係合凹部３２とのスムーズな係合取付と、前記係合凸部４２ａと前記係合凹部３２との強固な係合状態を得られる。
【００２４】
前記各々の脚片４２の軸心側内面には、軸心方向に突出し、且つ、軸方向に延びるリブ４２ｂが一体に形成される。
【００２５】
前記後軸４（後部材４ｂ）の窓孔４１は、互いに、円周方向に等間隔に配置される。前記窓孔４１の相互間の後軸４の一つの側壁には、クリップが設けられる。
【００２６】
（前軸と後軸の連結）
前記各々の脚片４２を前記前軸３の後端開口部に各々の溝３３に沿って挿入し、前記各々の係合凹部３２と前記各々の係合凸部４２ａとを係合固定させる。それにより、前記前軸３と前記後軸４とが前後に連結され、軸筒２が構成される。前記軸筒２の内部に複数の筆記体６を収容した際、前記各々の脚片４２が前記筆記体６の相互間の軸筒２内面（前軸３内面）に接触し、前記各々のリブ４２ｂが前記筆記体６の相互間に配置される。
【００２７】
（筆記体）
前記各々の筆記体６は、ボールペンレフィルであり、前端にボールが回転可能に抱持されたボールペンチップ（即ちペン先６１）と、該ボールペンチップを前端に備え且つ後端が開口されたインキ収容管６２とからなる。前記インキ収容管６２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管６２内のインキの後端には、インキの消費に伴い前進する高粘度流体からなる追従体が充填される。
【００２８】
（操作体）
前記各々の筆記体６の後端（即ちインキ収容管６２の後端開口部）には、操作体７が取り付けられる。前記各々の操作体７の操作部７１が、前記各々の窓孔４１から径方向外方に突出される。前記操作部７１を前方に押圧操作することにより、ペン先６１が突出状態となり、他の筆記体６のペン先突出状態が解除される。
【００２９】
（蓋部）
図１２に示すように、前記各々の窓孔４１の後端は、軸筒２の後端（即ち後軸４の後端）より後方に切り欠き状に開口する開口部４３が形成される。前記軸筒２の後端には、前記開口部４３を開閉自在にする蓋部５が設けられる。前記軸筒２の開口部４３を介して、前記筆記体６と操作体７とを互いに連結状態で、交換することができる。前記蓋部５は、ヒンジ部に回動自在に取り付けられる。前記蓋部５前面には、当接壁部５１が形成される。前記当接壁部５１に、没入状態の筆記体６の後端に連結された各々の操作体７の後端が当接される。
【００３０】
前記蓋部５の前面には、係合部５２（具体的には係合孔）が設けられ、前記後軸４の後端には、前記係合部５２と係合可能な被係合部４４（具体的には係合突起）が設けられる。前記係合部５２と前記被係合部４４とは、蓋部５が開口部４３を閉鎖した際、互いに係合状態にあり、弾発体の後方への付勢による操作体７と蓋部５前面の当接壁部５１との当接では、その係合状態は解除されず、蓋部５が開くことはない。
【００３１】
（スプリング支持部）
後軸４の内壁（即ち前部材４ａの内壁）には、スプリング支持部９が一体に形成される。前記スプリング支持部９には、各々の筆記体６が挿通される複数（具体的には５個）の内孔９１が軸方向に貫設されている。前記スプリング支持部９の後面と各々の操作体７との間には、スプリング８が配置される。前記各々のスプリング８の内部に各々の筆記体６が遊挿される。前記各々の脚片４２の後端が前記スプリング支持部９の前面に一体に連設される。
【００３２】
前記スプリング支持部９に後面には、各々の操作体７との間に配置され、ペン先出没操作に伴って各々の操作体７と係合可能なカム部材１０が固定される。前記カム部材１０の後端部が、径方向に変位可能なカム部を備える。本実施の形態では、前記各々のスプリングの前端がスプリング支持部９に係止され、一方、前記各々のスプリング８の後端が操作体７に係止される。
【００３３】
本実施の形態の多芯筆記具１は、前記前軸３の内面に複数の係合凹部３２を周方向に分散状に設け、前記後軸４の前端部に軸方向に延び且つ径方向の可撓性を備えた複数本の脚片４２を設け、前記脚片４２の径方向外面に係合凸部４２ａを設け、前記各々の脚片４２を前記前軸３の後端開口部に挿入し、前記係合凹部３２と前記係合凸部４２ａとを係合固定させ、前記各々の脚片４２を前記筆記体６の相互間に位置させることにより、前端孔３１を備えた前軸３と、スプリング支持部９を備えた後軸４との連結部分が厚肉とならないため、軸筒２内に収容する筆記体６の本数が増加しても、軸筒２の外径の増加を抑えることができ、その結果、携帯に不便となったり、外観性が低下したりすることを回避できる。
【００３４】
本実施の形態の筆記具用部材２は、前記第一の筒体３の後端開口部の内面に複数の係合凹部３２を周方向に分散状に設け、前記第二の筒体４の前端部に軸方向に延び且つ径方向の可撓性を備えた複数本の脚片４２を設け、前記脚片４２の径方向外面に係合凸部４２ａを設け、前記脚片４２の複数の係合凸部４２ａと、前記第一の筒体３の後端開口部内面に設けた複数の係合凹部３２とを係合固定させ、前記各々の脚片４２の軸心側に、軸心方向に突出し且つ軸方向に延びるリブ４２ｂを一体に形成したことにより、脚片４２が径方向に容易に撓むことを抑止し、第一の筒体３と第二の筒体４とが強固に連結でき、落下衝撃や折り曲げ等でも第一の筒体３と第二の筒体４とが分離するおそれがない。
【００３５】
本実施の形態の筆記具用部材２は、前記各々のリブ４２ｂを第二の筒体４の内壁で連結してなることにより、より一層、第一の筒体３と第二の筒体４とが強固に連結できる。
【００３６】
本実施の形態の筆記具用部材２は、前記第一の筒体３の後端開口部内面に、係合凹部３２を、周方向に分散状に複数設けるとともに前後に複数設け、前記脚片４２の径方向外面に前後に複数の係合凸部４２ａを設け、前記脚片４２の前後に設けた複数の係合凸部４２ａと、前記第一の筒体３の後端開口部内面に前後に設けた複数の係合凹部３２とを係合固定させたことにより、より一層、第一の筒体３と第二の筒体４とが強固に連結でき、落下衝撃や折り曲げ等でも分離するおそれがない。
【符号の説明】
【００３７】
１  多芯筆記具
２  軸筒（筆記具用部材）
３  前軸（第一の筒体）
３１  前端孔
３２  係合凹部
３３  溝
４  後軸（第二の筒体）
４１  窓孔
４２  脚片
４２ａ  係合凸部
４２ｂ  リブ
４３  開口部
４４  被係合部
４ａ  前部材
４ｂ  後部材
５  蓋部
５１  当接壁部
５２  係合部
６  筆記体
６１  ペン先（ボールペンチップ）
６２  インキ収容管
７  操作体
７１  操作部
８  スプリング
９  スプリング支持部
９１  内孔
１０  カム部材
【図１】
0005528901.tif 000002
【図２】
0005528901.tif 000003
【図３】
0005528901.tif 000004
【図４】
0005528901.tif 000005
【図５】
0005528901.tif 000006
【図６】
0005528901.tif 000007
【図７】
0005528901.tif 000008
【図８】
0005528901.tif 000009
【図９】
0005528901.tif 000010
【図１０】
0005528901.tif 000011
【図１１】
0005528901.tif 000012
【図１２】
0005528901.tif 000013